(57)【要約】      （修正有）【課題】スパナ本体を加工せずに、ナットからのスパナ外れをなくし、安全に早回しが出来るナットなど用の補助係止具を提供すること。【解決手段】ナットなどの六角頭（２５）にスパナ（２０）の挟持口（２３）を合わせた状態にて、本発明品の補助具（１）のナット押さえ部（３）が六角頭を係止する様にナット押さえ部（３）を設けるとともに、抱持部（２’）にてスパナのハンドル部（２２）に摺動自在に取り付けられる構造とした。【選択図】図１０
2006224287.tif 000002
【特許請求の範囲】
【請求項１】
両端のナット押さえ部下部に係止突起を形成し、中央部に抱持部を形成したスパナ補助具。
【発明の詳細な説明】
【発明の詳細な説明】
【産業上の利用分野】
【０００１】  この発明は、機械、器具等の組み立てや分解するときに多角形の頭部を有するナットやボルト・ナットを回転操作で締め付け、又は、弛めるための、在来型スパナや早回しのできるスーパー・ヘッド型やラチェット型スパナ、めがねスパナ等の補助具に関する。
【背景技術】
【０００２】  スパナを使用してナットを回転させようとするとき、一度良好にかみ合ったスパナとナットでも数回操作をくりかいしていると、注意していてもナットの回転軸と平行な方向に、スパナとナットが互いにずれて外れてしまう。  これを解決しようと従来の普通スパナの片面に規制板を設けたものもあった。  しかし、本発明のような、取り外し可能な補助具形式のものは無かった。
【発明が解決しようとする課題】
【０００３】この問題を解決しようとスパナの頭部の表面にナットを締めるときスパナとナットがずれないような装置を工作すると、ナットを緩めるときスーパー・ヘッド型スパナは表裏反転させなければ機能しない構造なのでその装置が邪魔になってしまう、締め専用スパナと、緩め専用スパナの二本を必要とする無駄があった。  等有効な装置を作ることができないのが現状である。  スーパー・ヘッド型スパナの場合も、一度良好にかみ合ったスパナとナットを１５度〜９０度位の角度の反復回転操作で右手片手締めの場合、３６０度、即ち一回転させるのは至難の業で、直ぐにスパナ外れをするので、つい、両手を使用してしまう。  特に、早回しのできるスーパー・ヘッド型スパナにおいてスパナ外れは作業能率を悪くする。  うまく咬み合った状態であるかどうか常時目で確認しないでは操作を継続できない不便さがあり、力を入れての作業なので、怪我や事故になる危険性があった。  本発明は、以上の欠点を解決したものである。
【問題を解決するための手段】
【０００４】  スパナ（２０）本体には何ら加工せず取り付け、取り外し、前進（スパナの頭部の方へ）、後退（スパナの頭部から離れる方へ）等、自在な補助具形式とする。  スパナ（２０）をナット（２７）に接したとき、ナット（２７）に接していないスパナ（２０）の反対端のみを掌に軽く乗せた状態でも、スパナ（２０）のナット（２７）に接している側は、ナット（２７）から滑り落ちないように安定させる。  図７のように抱持部（２’）をスパナ（２０）のハンドル（２２）の片側へ引っ掛け対抗する抱持部（２）をハンドル（２２）の反対側にまたがせてから、図８のようにスパナ補助具（１）がハンドル（２２）と平行になったところで手を離すと、スパナ補助具（１）が弾力性のある合成樹脂製なのでその弾力の復元しようとする力で図８のように抱持部（２）と抱持部（２’）がハンドル（２２）を抱え込むように中央に正しく取り付く。  拇指等によりスパナ補助具（１）を前進、又は、後退させるとき拇指とスパナ補助具（１）が滑らないように刻設した滑り止め溝（７）を押して図５の状態から図６のように前進させると、ナット押さえ部（３）が挟持口（２３）の内壁に落ち込んで係止突起（５）が狭持口角（２４）に引っ掛かるのでスパナ補助具（１）が軽い力では後退できなくなる。  ナット押さえ部（３）をナット（２７）の上面に乗せ軽く接触させて置くとナット（２７）とスパナ（２０）は互いに上下にずれないようになる。頭部（２１）の挟持口（２３）がナット（２７）をくわえているのでスパナ（２０）の左右のずれを止めている。  スパナの前後のずれは挟持口（２３）とナット（２７）が互いに接触し離れないように軽く力を加えることによって防げる。  これで、許される動作は左右の回転動作のみとなるので目を閉じたままでもナット（２７）を数十回転させることもできる。  スパナ（２０）に取り付けたスパナ補助具（１）が不要のときは拇指の腹等を用いて滑り止め溝（７）で直ちに邪魔にならない位置へ後退させることができる。  スパナ補助具（１）が作業の邪魔になるときは抱持部（２）を拇指の腹等を用いて斜めにこじ開けるようにすると、即座に完全にスパナ（２０）から取り除くことができる。  市販の図５のスパナ（２０）の挟持口（２３）が１５度の角度を持つものが多いが、本発明のスパナ補助具（１）のナット押さえ部（３）とナット押さえ部（４）は１５度の角度を付けなくても何ら支障がない。  本発明は、以上のような構成よりなるスパナ補助具である。
【作用】
【０００５】  ［０００５．１］ここから以降  ［０００６］までスーパー・ヘッド型スパナ使用例で説明する。  六角頭（２５）を右回転で締め付け作業をするとき、六角頭（２５）にスパナ（２０）の挟持口（２３）を合わせて、スパナ（２０）の上面に取り付けたスパナ補助具（１）のナット押さえ部（３）を六角頭（２５）の上に２ｍｍ位重ね合わせるように前進させる。  ナット押さえ部（３）の中央下面の係止突起（５）が挟持口（２３）内に落ち込み狭持口角（２４）にこれが引っかかるようにするとスパナ補助具（１）は軽い力では後退しなくなる。  ナット押さえ部（３）が六角頭（２５）から上に離れないようにスパナ（２０）全体に少し下向きの力を加えながらハンドル（２２）を回転させ締め付け作業をする。  ［０００５．２］  締め切った状態の六角頭（２５）を緩めるにはスパナ（２０）を表裏反転させてからスパナ補助具（１）をハンドル（２２）の上面に取り付ける。  ナット押さえ部（３）を六角頭（２５）の上を前進させてから係止突起（５）を挟持口（２３）内に落ち込ませる。  係止突起（５）を狭持口角（２４）に引っ掛けてから六角頭（２５）とスパナ（２０）が離れないようにナット押さえ部（３）を下向きに軽く押し付けて滑らないようにして、緩め動作の回転反復操作をする。  ［０００５．３］  右回転でボルト（２６）のナット（２７）を締め付ける作業をするとき、スパナ補助具（１）のナット押さえ部（３）をナット（２７）の上に合わせてから係止突起（５）を挟持口（２３）内に落ち込むまで前進させ、挟持口角（２４）に引っ掛けてから締め動作の回転反復操作をする。  締め付け動作終了後に直ちにボルト・ナットの緩め動作に入るとき、スパナ補助具（１）をハンドル（２２）上で邪魔にならないところまで後退させてからスパナ（２０）を表裏反転させ、スパナ補助具（１）も表面に付け替える。  機械、器具、とナット（２７）が固く締め切った状態の場合、スパナ（２０）を機械、器具、からずれないように少し力を加えておくとナット（２７）の回転軸と平行な方向に、スパナ（２０）とナット（２７）が互いにずれて外れることはないので最初スパナ補助具（１）は必要ない。  ハンドル（２２）の表面に取り付いているスパナ補助具（１）をボルト（２６）に接触するまで前進させてからスパナ（２０）に緩め動作の回転反復操作をする。
【実施例】
【０００６】  以下、本発明の実施例を１３ｍｍスパナ用について説明する。  長さ５５ｍｍ〜６５ｍｍ、幅１１ｍｍ〜１２ｍｍ、厚さ２ｍｍ位の弾力性がある合成樹脂等で片端にナット押さえ部（３）と係止突起（５）を形成する。反対端には、めがねスパナ用ナット押さえ部（４）とめがねスパナ用係止突起（６）を形成する。  スパナ（２０）の頭部（２１）はハンドル（２２）より厚さがあるのでそれに合わせるために微妙に曲線を画がえて曲げてある、これはスパナを製造するメーカーによりスパナ頭部やハンドルの厚さが異なっているためであり、普通スパナとめがねスパナが混在しているからであり、弾力性を増すためでもある。  スパナ補助具（１）の中間にスパナ（２０）に取り付くための抱持部（２）と抱持部（２’）を形成する。  これを合成樹脂射出成型で生産する。  厚さを０．５ｍｍ〜１．０ｍｍにしてステンレス鋼鈑で作ることもできる。
【発明の効果】
【０００７】  本発明は、以上のような構造で、これを使用するときはスパナのハンドルに簡単に取り付け、取り外しができる。  スパナ本体にはなんら変更や工作を施さない。  一度良好にセットしたスパナの先端と六角頭やナットなどの状態を見つめている必要がなく、目を閉じていても数１０回転は操作できる。  スパナ補助具（１）が不要なときは後退又は、スパナ（２０）から完全に取り除くことができるので邪魔になることはない。
【図面の簡単な説明】
【図１】本発明スパナ補助具の正面図である。
【図２】本発明スパナ補助具の上面図である。
【図３】本発明スパナ補助具の３ナット押さえ部側から見た側面図である。
【図４】本発明スパナ補助具を上下反転させた斜視図である。
【図５】本発明スパナ補助具を後退させた、反対端がめがねスパナになっているスーパー・ヘッド型スパナに取り付けた全体の上面図である。
【図６】本発明スパナ補助具をスーパー・ヘッド型スパナに取り付けナットを回す状態の一部を切り欠いた斜視図である。
【図７】本発明スパナ補助具をスパナハンドルへ取り付けるときのスパナハンドルを断面図で現した３ナット押さえ部側から見た側面図である。
【図８】本発明スパナ補助具をスパナハンドルへ取り付け完了したスパナハンドルを断面図で現した３ナット押さえ部側から見た側面図である。
【図９】本発明スパナ補助具をスーパー・ヘッド型スパナのハンドルへ取り付け下面から見た斜視図である。
【図１０】本発明スパナ補助具をスーパー・ヘッド型スパナのハンドルへ取り付け六角頭を締め付ける状態の一部を切り欠いた下面から見た斜視図である。
【符号の説明】
１  スパナ補助具２  抱持部２‘抱持部３  ナット押さえ部４  ナット押さえ部５  係止突起６  係止突起７  滑り止め溝８  めがねスパナ２１  頭部２２  ハンドル２３  狭持口２４  狭持口角２５  六角頭２６  ボルト２７  ナット
【図１】
2006224287.tif 000003
【図２】
2006224287.tif 000004
【図３】
2006224287.tif 000005
【図４】
2006224287.tif 000006
【図５】
2006224287.tif 000007
【図６】
2006224287.tif 000008
【図７】
2006224287.tif 000009
【図８】
2006224287.tif 000010
【図９】
2006224287.tif 000011
【図１０】
2006224287.tif 000012